(57)【特許請求の範囲】
【請求項１】
装着されたＩＣカードにＩＣカードの接点を通じて電源を供給し、記憶データの読出し等を行うものにおいて、ＩＣカード装着部の前面に押圧で回動する扉を設けると共に、扉の回動に応じてＩＣカードへの電源の供給を停止するスイッチを設け、前記扉に回動軸を挟んで後方にスイッチ駆動片を突出させ、扉の非回動時、スイッチ駆動片で前記スイッチのスイッチノブを押下しスイッチをオンにし、扉の回動にてスイッチ駆動片が前記スイッチのスイッチノブから離れスイッチをオフにし、スイッチのオンの状態のとき前記ＩＣカードに電源を供給し、スイッチオフの状態のとき前記ＩＣカードへの電源の供給を停止することを特徴とするＩＣカードの保護装置。
【請求項２】
前記スイッチ駆動片をＩＣカード装着部の方向に付勢するスプリングを取付け、前記扉を押圧しない場合、扉でＩＣカード装着部を塞ぐようにした請求項１記載のＩＣカードの保護装置。
【発明の詳細な説明】
【０００１】
【発明の属する技術分野】
本発明はＩＣカードの保護装置に係り、ＩＣカードの装着または抜去でＩＣカードのデータを破壊しないようにするものに関する。
【０００２】
【従来の技術】
有料テレビジョン放送（衛星放送）の受信等のため受信契約者の識別コード等を記録した「スマートカード」等と呼ばれるＩＣカードを発行し、受信者はこのＩＣカードを受信機に装着し、識別コードを読取らせ、デスクランブル回路を作動させてスクランブル（暗号）を解除し、有料放送を受信するようにしたものがある。ＩＣカードにはマイクロコンピュータ等が組込まれており、受信機等への装着にてＩＣカードに設けた接点が受信機等のコネクタに接続され、受信機等のコネクタおよび接点を通じて電源の供給を受け、マイクロコンピュータを動作させ、識別コード等を読出し、受信機のデスクランブル回路等へ送出し、スクランブルを解除する。
ところで、ＩＣカードは、電源の供給されている状態でコネクタに装着・抜去した場合、接点（複数）の接触若しくは切断のタイミングのずれ、あるいはチャタリング等により記憶されているデータが破壊される場合がある。このため、受信機等には、ＩＣカードの着脱は必ず受信機の電源をオフした状態で行うようにという主旨の注意書を添付するが、これが守られず、あるいはうっかりミスで電源オンのままＩＣカードを着脱し、データが破壊されるという問題がある。
【０００３】
【発明が解決しようとする課題】
本発明はこのような点に鑑み、ＩＣカードの装着・抜去操作等に伴う動きを検出し自動的にＩＣカードの電源の供給を停止するようにし、データ破壊保護のための特別な操作を行わずともＩＣカードに記憶されているデータが破壊されないようにすることにある。
【０００４】
【課題を解決するための手段】
本発明は上述の課題を解決するため、装着されたＩＣカードにＩＣカードの接点を通じて電源を供給し、記憶データの読出し等を行うものにおいて、ＩＣカード装着部の前面に押圧により回動する扉を設けると共に、扉の回動に応じてＩＣカードへの電源の供給を停止するスイッチを設け、扉の回動位置がＩＣカードの装着・抜去可能となる位置に達する前にスイッチが作動するようにし、ＩＣカードの装着・抜去によるＩＣカードのデータの破壊を防止するようにしたＩＣカードの保護装置を提供するものである。
【０００５】
【発明の実施の形態】
本発明によるＩＣカードの保護装置では、ＩＣカード装着部の前面に押圧により回動する扉を設け、扉の回動軸に取付けたバネ部材で扉を外方向に付勢し、扉を押圧しなければこの扉でＩＣ装着部を塞ぐようにし、扉の回動にて作動するスイッチを設け、指先あるいはＩＣカードの先端等で扉を押せば扉が回動し、扉がＩＣカードの装着・抜去可能となる位置まで回動する前にこのスイッチが作動するように設定し、ＩＣカードへの電源の供給を停止するようにする。これにより、ＩＣカードの装着・抜去でＩＣカードのデータが破壊されないようにする。
【０００６】
【実施例】
以下、図面に基づいて本発明によるＩＣカードの保護装置の実施例を詳細に説明する。図１は本発明によるＩＣカードの保護装置の概要を示す要部斜視図、図２および図３は本発明によるＩＣカードの保護装置の一実施例の要部側断面図である。図１において、１はパネル、２は扉で、扉２の内方にＩＣカード装着部が設けられ、扉２は前方からの押圧（矢印Ｂ）で、例えば、上端部を軸にして下端が内側に回動し、ＩＣカードの装着・抜去が可能となる。
【０００７】
図２において、１１はＩＣカード、１２はＩＣカード装着部、１３はＩＣカードホルダで、ＩＣカード装着部１２の開口１６を扉２で塞いでいる状態を示している。１４は扉２の左右両端（図の前後方向）を回動可能に軸支する支軸、１５はバネ部材で、例えば、コイルバネでなり、扉２をコイルバネ１５で矢印Ｄの方向に付勢し、ＩＣカード装着部１２の前面の開口１６を扉２で塞ぐ。１７はスイッチ駆動片、１８はスイッチ、１９はスイッチノブで、スイッチ駆動片１７は扉２の後面に支軸１４を挟んで扉２の表面と交わる方向（例えば、扉の表面に略直角なΓ型）に突出させて形成し、スイッチノブ１９を下方に押下げ、スイッチ１８の接点が接続された状態に保持する。これにより、ＩＣカードホルダ１３に内設さているコネクタからＩＣカード１１の接点を通じてＩＣカード１１に電源が供給され、ＩＣカード１１のデータの読取り等が可能となる。
【０００８】
図３は、指先等による押圧で扉２が点線の位置から矢印Ａの如く押し込まれ、ＩＣカード１１の抜去または装着が可能な状態を示している。すなわち、扉２をＩＣカードの先端あるいは指先等で矢印Ａの方向に押すことにより、この力がコイルバネ１５による付勢力より大きな力であれば、扉２は図の実線で示す位置まで押し上げられ、開口１６よりＩＣカード装着部１２へＩＣカード１１を差し込みＩＣカードホルダ１３に装着する、あるいは開口１６から指先等を差し込み、ＩＣカードホルダ１３に装着されているＩＣカード１１を抜去することができる。
【０００９】
扉２の回動にて支軸１４を軸にしてスイッチ駆動片１７は矢印Ｂの如く回動し、上方に付勢されているスイッチ１８のスイッチノブ１９の押下が解除され、矢印Ｃの方向にはね上がる。スイッチノブ１９は、スイッチ駆動片１７が点線で示す位置（図２と同じ位置）から少し上に動けば矢印Ｃの如くに（図３に示す位置に）はね上がるように配設位置を設定し、ＩＣカード１１の先端、あるいは人の指先等がＩＣカード装着部１２に到達可能なる位置まで扉２が回動する以前にスイッチ１８がオフされるようにする。これにより、スイッチ１８は接点接続が開放され、ＩＣカード１１への電源の供給は停止され、ＩＣカード１１を挿抜してもＩＣカードに記憶されているデータは破壊されないものとなる。
【００１０】
なお、図４に示す部分側断面図のように、ＩＣカード装着部１２の装着口の角部２１（点線で示す部分）を、例えば、装着口の中央部分の上下をそれぞれ斜めに欠切し、ＩＣカード１１を取出す際に指先等でつまみやすくしてもよい。また、バネ部材１５はコイルバネで説明したが、それに限定するものでなく、例えば、板バネ等で扉２を外方向に付勢するようにしても同様の作用を得ることができる。あるいは、スイッチ駆動片１７をスプリングを用い、ＩＣカード装着部１２の方向に付勢するようにしても同様の作用を得ることができる。
【００１１】
【発明の効果】
以上に説明したように、本発明によるＩＣカードの保護装置によれば、ＩＣカードを装着、または抜去するためＩＣカード装着部の扉を押し開ければ、扉の回動に応動してスイッチが作動し、ＩＣカードへの電源の供給を停止するので、ＩＣカードの挿抜でＩＣカードに記憶されているデータは破壊されず、ＩＣカードの挿抜の都度電源を切る等の操作を不要にする利便性の高いものである。
【図面の簡単な説明】
【図１】本発明によるＩＣカードの保護装置の概要図である。
【図２】本発明によるＩＣカードの保護装置の一実施例の要部側断面図で、扉を閉じた状態を示す図である。
【図３】本発明によるＩＣカードの保護装置の一実施例の要部側断面図で、扉を開けた状態を示す図である。
【図４】本発明によるＩＣカードの保護装置の他の実施例の部分側断面図である。
【符号の説明】
１  パネル
２  扉
１１  ＩＣカード
１２  ＩＣカード装着部
１３  ＩＣカードホルダ
１４  支軸
１５  コイルバネ
１６  開口
１７  スイッチ駆動片
１８  スイッチ
１９  スイッチノブ
【図１】
0003580029.tif 000002
【図２】
0003580029.tif 000003
【図３】
0003580029.tif 000004
【図４】
0003580029.tif 000005